(57)【特許請求の範囲】
【請求項１】
地下タンク内を、漏洩検査を行うのに必要な所望の減圧値まで減圧しない状態で、前記地下タンク内の液相部の振動音を、所望の時間計測し、また、漏洩検査を行うのに必要な所望の減圧値まで減圧した状態で、前記地下タンク内の液相部の振動音を、所望の時間、計測する振動音検知装置と、
前記各計測した振動音をそれぞれ、暗騒音データと漏洩検査時音データとして、記憶する記憶部と、前記記憶した暗騒音データと漏洩検査時音データとを比較して、該比較した結果が所望の条件を満たすか否かで漏洩の有無を判断する判定部とを有する演算記憶処理装置とよりなり、
前記記憶部に記憶された暗騒音データを、所望の時間毎に区切り、この各区切り内の暗騒音データのうち、振動音の大きさが最大となる暗騒音データをそれぞれ抽出し、かかる抽出した暗騒音データを、区間最大暗騒音データとして、前記記憶部に記憶させると共に、
前記記憶部に記憶された漏洩検査時音データを、前記所望の時間毎に区切り、この各区切り内の漏洩検査時音データのうち、振動音の大きさが最大となる漏洩検査時音データをそれぞれ抽出し、かかる抽出した漏洩検査時音データを、区間最大漏洩検査時音データとして、前記記憶部に記憶させる基礎データ抽出部を、前記演算記憶処理装置に設け、
更に、前記基礎データ抽出部により前記記憶部に記憶された区間最大暗騒音データを、振動音の大きさを基準として昇降順に並べた時に、大きい値の範囲のものと小さい値の範囲のものを除外した中間範囲に位置する区間最大暗騒音データを抽出し、かかる抽出した区間最大暗騒音データを、判定用暗騒音データとして、前記記憶部に記憶させると共に、
前記基礎データ抽出部により前記記憶部に記憶された区間最大漏洩検査時音データを、振動音の大きさを基準として昇降順に並べた時に、大きい値の範囲のものと小さい値の範囲のものを除外した中間範囲に位置する区間最大漏洩検査時音データを抽出し、かかる抽出した区間最大漏洩検査時音データを、判定用漏洩検査時音データとして、前記記憶部に記憶させる判定用データ抽出部を、前記演算記憶処理装置に設け、
前記判定部は、前記判定用データ抽出部より前記記憶部に記憶された判定用暗騒音データと判定用漏洩検査時音データとを比較することを特徴とする地下タンクの漏洩検査装置。
【請求項２】
地下タンク内を、漏洩検査を行うのに必要な所望の減圧値まで減圧しない状態で、前記地下タンク内の液相部の振動音を、所望の時間、振動音検知装置により計測し、該計測した振動音を暗騒音データとして、演算記憶処理装置に設けた記憶部に記憶すると共に、前記地下タンク内を、漏洩検査を行うのに必要な所望の減圧値まで減圧した状態で、前記地下タンク内の液相部の振動音を、所望の時間、振動音検知装置により計測し、該計測した振動音を漏洩検査時音データとして前記記憶部に記憶する第一工程と、
前記演算記憶処理装置に設けた基礎データ抽出部により、前記第一工程で前記記憶部に記憶された暗騒音データを、所望の時間毎に区切り、この各区切り内の暗騒音データのうち、振動音の大きさが最大となる暗騒音データをそれぞれ抽出し、かかる抽出した暗騒音データを、区間最大暗騒音データとして、前記記憶部に記憶すると共に、
前記第一工程で前記記憶部に記憶された漏洩検査時音データを、前記所望の時間毎に区切り、この各区切り内の漏洩検査時音データのうち、振動音の大きさが最大となる漏洩検査時音データをそれぞれ抽出し、かかる抽出した漏洩検査時音データを、区間最大漏洩検査時音データとして、前記記憶部に記憶する第二の工程と、
前記演算記憶処理装置に設けた判定用データ抽出部により、前記第二工程で前記記憶部に記憶された区間最大暗騒音データを、振動音の大きさを基準として昇降順に並べた時に、大きい値の範囲のものと小さい値の範囲のものを除外した中間範囲に位置する区間最大暗騒音データを抽出し、かかる抽出した区間最大暗騒音データを、判定用暗騒音データとして、前記記憶部に記憶すると共に、
前記第二工程で前記記憶部に記憶された区間最大漏洩検査時音データを、振動音の大きさを基準として昇降順に並べた時に、大きい値の範囲のものと小さい値の範囲のものを除外した中間範囲に位置する区間最大漏洩検査時音データを抽出し、かかる抽出した区間最大漏洩検査時音データを、判定用漏洩検査時音データとして、前記記憶部に記憶する第三工程と、
前記演算記憶処理装置に設けた判定部により、前記第三工程で前記記憶部に記憶した判定用暗騒音データと前記判定用漏洩検査時音データとを比較して、該比較した結果が所望の条件を満たすか否かで漏洩の有無を判断する第四工程と、
よりなることを特徴とする地下タンクの漏洩検査方法。
【請求項３】
前記第四工程の前記記憶部に記憶された前記判定用暗騒音データと前記判定用漏洩検査時音データとを比較して、
該比較した結果が所望の条件を満たすか否かとは、
前記判定用暗騒音データの平均値と、前記判定用漏洩検査時音データの平均値との比率が、所望の範囲内であるか否かであることを特徴とする請求項２に記載の地下タンクの漏洩検査方法。
【請求項４】
前記判定用暗騒音データの平均値と前記判定用漏洩検査時音データの平均値との比率は、対数比であることを特徴とする請求項３に記載の地下タンクの漏洩検査方法。
【発明の詳細な説明】
【技術分野】
【０００１】
本発明は、地下に埋設されている危険物を貯蔵するタンク等の液相部の漏洩検査装置及び検査方法に関する。
【背景技術】
【０００２】
ガソリンや軽油、灯油等の危険物を貯蔵する地下タンクは、法令により原則一年に一回の漏洩の有無を点検することが定められている。漏洩の有無を検査されるタンクは、危険物を貯蔵しているため、タンク内を空にせず点検することが一般的で、タンク内の液面より上の部分の気相部と、前記地下タンク内の液面より下の液体の部分の液相部をそれぞれ検査する必要がある。
【０００３】
これらの検査については消防関連法規に定めがあり、気相部の検査に関しては、具体的な方法及び判定基準が示されているが、液相部の検査については具体的な方法が定められていないので、例えば、液相部の検査方法として、タンクを密閉して、液面よりも上の部分の気相部を減圧し、減圧によってタンク外からタンク内の液相部に吸い込まれた気泡が発する振動音を、液相部内に挿入したマイクロフォン等により検出する検査方法がある。
【０００４】
しかしながら、例えば、道路沿いに設置されているガソリンスタンドの地下タンクの場合、計測中に、道路をランダムに通過する車両による振動音が雑音として計測されるなど、検査を行う場所により、漏洩による振動音以外のその場所固有の暗騒音が計測中に混じり、漏洩音を判別することができない。
【０００５】
そのため、例えば、特許文献１や特許文献２の検査方法においては、予め採取した漏洩音の周波数を基準として、計測して得た振動音の周波数分析を行い、基準となる漏洩音に相当する周波数成分のみ抽出して、漏洩の有無を判断するようにしていた。
【先行技術文献】
【特許文献】
【０００６】
【特許文献１】特許第４２７１００６号公報
【特許文献２】特許第４２０６４９８号公報
【発明の概要】
【発明が解決しようとする課題】
【０００７】
しかしながら、前記従来の検査方法では、漏洩口の形状や漏洩口の大きさ、漏洩口の位置などによりそれぞれ異なる周波数の漏洩音を基準音として全て採取することは困難なため、一定の条件に適合した漏洩のみしか検知できず、それ以外は検知できない。
【０００８】
また、雑音に基準漏洩音と重なる周波数成分も含まれている場合、このような基準漏洩音に近い周波数の雑音を除去できず、誤判定の要因になるという問題点がある。
【０００９】
本発明は、上記の問題点を解決しようとするものである。
【課題を解決するための手段】
【００１０】
前記の目的を達成すべく、本発明の地下タンクの漏洩検査装置は、地下タンク内を、漏洩検査を行うのに必要な所望の減圧値まで減圧しない状態で、前記地下タンク内の液相部の振動音を、所望の時間計測し、また、漏洩検査を行うのに必要な所望の減圧値まで減圧した状態で、前記地下タンク内の液相部の振動音を、所望の時間、計測する振動音検知装置と、前記各計測した振動音をそれぞれ、暗騒音データと漏洩検査時音データとして、記憶する記憶部と、前記記憶した暗騒音データと漏洩検査時音データとを比較して、該比較した結果が所望の条件を満たすか否かで漏洩の有無を判断する判定部とを有する演算記憶処理装置とよりなり、前記記憶部に記憶された暗騒音データを、所望の時間毎に区切り、この各区切り内の暗騒音データのうち、振動音の大きさが最大となる暗騒音データをそれぞれ抽出し、かかる抽出した暗騒音データを、区間最大暗騒音データとして、前記記憶部に記憶させると共に、前記記憶部に記憶された漏洩検査時音データを、前記所望の時間毎に区切り、この各区切り内の漏洩検査時音データのうち、振動音の大きさが最大となる漏洩検査時音データをそれぞれ抽出し、かかる抽出した漏洩検査時音データを、区間最大漏洩検査時音データとして、前記記憶部に記憶させる基礎データ抽出部を、前記演算記憶処理装置に設け、更に、前記基礎データ抽出部により前記記憶部に記憶された区間最大暗騒音データを、振動音の大きさを基準として昇降順に並べた時に、大きい値の範囲のものと小さい値の範囲のものを除外した中間範囲に位置する区間最大暗騒音データを抽出し、かかる抽出した区間最大暗騒音データを、判定用暗騒音データとして、前記記憶部に記憶させると共に、前記基礎データ抽出部により前記記憶部に記憶された区間最大漏洩検査時音データを、振動音の大きさを基準として昇降順に並べた時に、大きい値の範囲のものと小さい値の範囲のものを除外した中間範囲に位置する区間最大漏洩検査時音データを抽出し、かかる抽出した区間最大漏洩検査時音データを、判定用漏洩検査時音データとして、前記記憶部に記憶させる判定用データ抽出部を、前記演算記憶処理装置に設け、前記判定部は、前記判定用データ抽出部より前記記憶部に記憶された判定用暗騒音データと判定用漏洩検査時音データとを比較することを特徴とする。
【００１４】
また、本発明の地下タンクの漏洩検査方法は、地下タンク内を、漏洩検査を行うのに必要な所望の減圧値まで減圧しない状態で、前記地下タンク内の液相部の振動音を、所望の時間、振動音検知装置により計測し、該計測した振動音を暗騒音データとして、演算記憶処理装置に設けた記憶部に記憶すると共に、前記地下タンク内を、漏洩検査を行うのに必要な所望の減圧値まで減圧した状態で、前記地下タンク内の液相部の振動音を、所望の時間、振動音検知装置により計測し、該計測した振動音を漏洩検査時音データとして前記記憶部に記憶する第一工程と、前記演算記憶処理装置に設けた基礎データ抽出部により、前記第一工程で前記記憶部に記憶された暗騒音データを、所望の時間毎に区切り、この各区切り内の暗騒音データのうち、振動音の大きさが最大となる暗騒音データをそれぞれ抽出し、かかる抽出した暗騒音データを、区間最大暗騒音データとして、前記記憶部に記憶すると共に、前記第一工程で前記記憶部に記憶された漏洩検査時音データを、前記所望の時間毎に区切り、この各区切り内の漏洩検査時音データのうち、振動音の大きさが最大となる漏洩検査時音データをそれぞれ抽出し、かかる抽出した漏洩検査時音データを、区間最大漏洩検査時音データとして、前記記憶部に記憶する第二の工程と、前記演算記憶処理装置に設けた判定用データ抽出部により、前記第二工程で前記記憶部に記憶された区間最大暗騒音データを、振動音の大きさを基準として昇降順に並べた時に、大きい値の範囲のものと小さい値の範囲のものを除外した中間範囲に位置する区間最大暗騒音データを抽出し、かかる抽出した区間最大暗騒音データを、判定用暗騒音データとして、前記記憶部に記憶すると共に、前記第二工程で前記記憶部に記憶された区間最大漏洩検査時音データを、振動音の大きさを基準として昇降順に並べた時に、大きい値の範囲のものと小さい値の範囲のものを除外した中間範囲に位置する区間最大漏洩検査時音データを抽出し、かかる抽出した区間最大漏洩検査時音データを、判定用漏洩検査時音データとして、前記記憶部に記憶する第三工程と、前記演算記憶処理装置に設けた判定部により、前記第三工程で前記記憶部に記憶した判定用暗騒音データと前記判定用漏洩検査時音データとを比較して、該比較した結果が所望の条件を満たすか否かで漏洩の有無を判断する第四工程と、よりなることを特徴とする。
【００１８】
また、前記第四工程の前記記憶部に記憶された前記判定用暗騒音データと前記判定用漏洩検査時音データとを比較して、該比較した結果が所望の条件を満たすか否かとは、前記判定用暗騒音データの平均値と、前記判定用漏洩検査時音データの平均値との比率が、所望の範囲内であるか否かであることを特徴とする。
【００１９】
また、前記判定用暗騒音データの平均値と前記判定用漏洩検査時音データの平均値との比率は、対数比であることを特徴とする。
【発明の効果】
【００２０】
本発明によれば、漏洩口の形状や大きさ、漏洩口の位置などによりそれぞれ周波数が異なる多数の基準音を採取するという複雑な過程が不要であり、更に暗騒音に含まれる漏洩音と重なる周波数成分の影響も受けないため、漏洩音に近い周波数の雑音による誤判定を回避することができる漏洩検査装置を提供することができる。
【図面の簡単な説明】
【００２１】
【図１】本発明の地下タンクの漏洩検査装置の概略図である。
【図２】本発明の地下タンクの漏洩検査装置の信号変換器の説明図である。
【図３】本発明の地下タンクの漏洩検査装置の演算記憶処理装置の説明図である。
【図４】本発明の地下タンクの漏洩検査装置のサンプリング処理部でサンプリングされたＡ／Ｄ変換値データのグラフである。
【図５】本発明の地下タンクの漏洩検査装置の基礎データ抽出部で抽出された暗騒音データのグラフである。
【図６】本発明の地下タンクの漏洩検査装置の基礎データ抽出部で抽出された暗騒音データと漏洩検査時の計測音データのグラフである。
【図７】本発明の地下タンクの漏洩検査装置の基礎データとして抽出部で抽出された暗騒音データと漏洩検査時音データを昇降順に並べ替えたグラフである。
【図８】本発明の地下タンクの漏洩検査装置の判定部で判定する判定表である。
【発明を実施するための形態】
【００２２】
本発明を実施するための形態の実施例を以下に示す。
【実施例１】
【００２３】
本発明の地下タンクの漏洩検査装置及び漏洩検査方法の実施例１を図１〜図８によって説明する。
【００２４】
本発明の地下タンクの液相部の漏洩検査装置は、図１に示すように、地下に埋設された地下タンク１の液相部Ｌ（液相部に接する地下タンク部分も含まれる）内の振動音を検出する振動音検知装置２と、該振動音検知装置２により検出した信号を、パソコンなどの演算記憶処理装置で処理できる信号に変換する信号変換装置３と、該信号変換装置３により変換された信号を演算・記憶するパソコンなどの演算記憶処理装置４とよりなる。
【００２５】
なお、Ｇは、前記地下タンク１の気相部を示す。また、５は、前記地下タンク１の天井部１ａに形成された、計量口等の開口部を示し、また、１０は、地下タンクの液相部に形成された漏洩口を示し、また、１１は、該漏洩口から漏洩した気泡を示す。
【００２６】
前記振動音検知装置２は、聴音パイプ６と、該聴音パイプ６からの振動または加速度を検出する、圧電素子などの振動検知センサー７とよりなる。
【００２７】
そして、前記聴音パイプ６は、前記地下タンク１外から該地下タンク１内に、前記開口部５を通して垂設され、また、該聴音パイプ６の下端が、前記地下タンク１の液相部Ｌに浸漬すると共に、該地下タンク１の底面１ｂに密着して設けられ、該聴音パイプ６は、前記地下タンク内の液相部（液相部に接する地下タンク部分も含む）の振動音を検出するように構成される。
【００２８】
また、前記開口部５は気密に塞がれ、前記地下タンク１内は気密になるように密閉される。
【００２９】
また、前記振動検知センサー７は、前記聴音パイプ６の上端に固定されている。
【００３０】
また、前記信号変換装置３は、図２に示すように、前記振動音検知装置２の振動検知センサー７が検出した電圧を増幅する増幅部３ａと、該増幅部３ａで増幅された電圧変化等のアナログ信号をデジタル信号に変換するＡ／Ｄ変換部３ｂと、該変換されたデジタル信号（Ａ／Ｄ変換値）を前記演算記憶処理装置４に通信する通信回路部３ｃとよりなる。
【００３１】
また、前記演算記憶処理装置４は、記憶部８と演算部９とよりなり、該記憶部８は、前記通信回路部３ｃからのＡ／Ｄ変換値等を記憶し、また、前記演算部９は、各種の処理を行い、例えば、サンプリング処理部９ａと、基礎データ抽出部９ｂと、判定用データ抽出部９ｃと、判定部９ｄとよりなる。
【００３２】
なお、４ａは、前記演算記憶処理装置４のモニタである。
【００３３】
前記サンプリング処理部９ａは、前記記憶部８に記憶されたＡ／Ｄ変換値データを、所望のサンプリングレート（サンプリング周波数）でサンプリングし、該サンプリングしたＡ／Ｄ変換値データを前記記憶部８に記憶させる処理を行う。
【００３４】
また、前記基礎データ抽出部９ｂは、前記サンプリングしたＡ／Ｄ変換値を、一定の単位時間毎に区切り（例えば、１秒毎に区切り）、この各区切り内（各単位時間内）のＡ／Ｄ変換値のうち、最大のＡ／Ｄ変換値をそれぞれ抽出し、かかる各値を、区間最大Ａ／Ｄ変換値データとして前記記憶部８に記憶させる処理を行う。
【００３５】
また、前記判定用データ抽出部９ｃは、前記区間最大Ａ／Ｄ変換値データを、昇順（又は、降順）に並び替え、そして、これら並び替えらえたデータから、例えば、車両通過などによる突発的な振動を含む可能性のある、区間最大Ａ／Ｄ変換値が大きい値の範囲のものを除外すると共に、暗騒音または漏洩検査時音と逆位相の振動が作用して減衰した振動データと考えられる、区間最大Ａ／Ｄ変換値が小さい範囲のものを除外し、前記データの中間範囲のＡ／Ｄ変換値データのみを抽出し、この抽出したデータを、前記記憶部８に記憶させる処理を行う。
【００３６】
また、前記判定部９ｄは、記憶された判定用データのＡ／Ｄ変換値を比較し、この比較した結果が所望の条件を満たすか否かで、漏洩の有無の判断する処理を行う。
【００３７】
次に、本発明の地下タンクの漏洩検査装置を用いた漏洩検査方法と、その効果を説明する。
【００３８】
（漏洩検査装置の設置）
【００３９】
図１に示すように、前記地下タンク１に漏洩検査装置を設置する。
【００４０】
即ち、まず、前記聴音パイプ６を前記地下タンク１の開口部５を貫通して垂設し、該聴音パイプ６の下端を前記地下タンク１の液相部Ｌに浸漬させると共に、該地下タンク１の底面１ｂに密着させて、前記地下タンク１に取り付ける。
【００４１】
また、前記開口部５を気密に塞ぎ、前記地下タンク１内を気密になるように密閉する。
【００４２】
また、前記聴音パイプ６の上部に前記振動検知センサー７を取り付け、該振動検知センサー７と前記信号変換装置３とを接続し、また、該信号変換装置３と前記演算記憶処理装置４とを接続する。
【００４３】
これにより、前記地下タンク１に漏洩検査装置が設置され、次に、暗騒音の計測と、漏洩検査時音の計測を行う。
【００４４】
（暗騒音の計測）
【００４５】
まず、暗騒音を計測する。
【００４６】
なお、暗騒音とは、地下タンク内を減圧しない場合の漏洩音を含まない振動音であり、該振動音は、地下タンク１内外で定常的に生じている設置環境による振動を主体とし、かつ車両の通行などの突発的な騒音が時々加算された音である。
【００４７】
具体的な暗騒音の計測は、前記地下タンク１を減圧しない状態で、所望の計測時間の間、例えば１８０秒間、前記聴音パイプ６からの振動を前記振動検知センサー７により検出する。
【００４８】
なお、前記減圧しない状態とは、前記地下タンク内の圧力を、前記地下タンクの液相部に漏洩口があるとした場合でも、タンク外の空気をタンク内に吸いこまない範囲の圧力の状態（漏洩音が発生するのに必要な所望の減圧値まで減圧しない状態）のことをいう。
【００４９】
そして、該振動検知センサー７により出力された電圧変動等のアナログ信号を、前記信号変換装置３により増幅してからデジタル信号に変換して前記演算記憶処理装置４に読み込み、そして、該演算記憶処理装置４の演算部９のサンプリング処理部９ａで、所望のサンプリングレート（サンプリング周波数）でサンプリングし、該サンプリングしたＡ／Ｄ変換値データを暗騒音データとして、前記記憶部８に記憶させる。
【００５０】
前記サンプリング処理部９ａのサンプリングレートは、振動音を波形データとして再生可能な程度に、振動音の周波数帯域より十分高い周波数とする。
【００５１】
なお、図４は、前記各サンプリングしたＡ／Ｄ変換値データをつなげて波形にして表した模式図であり、横軸が時間、縦軸が電圧をＡ／Ｄ変換した値であり、オシロスコープなどでみることができる。
【００５２】
（漏洩検査時音の計測）
【００５３】
次に、漏洩検査時音を計測する。なお、該漏洩検査時音の計測を、暗騒音の計測の前に行ってもよい。
【００５４】
具体的な漏洩検査時音の計測は、まず、前記地下タンク１の気相部Ｇを、該地下タンク１の底に漏洩口があったと仮定した場合でも地下タンク外部の空気を吸い込むことが可能な、漏洩検査を行うのに必要な所望の減圧値となるまで減圧し、例えば、前記気相部Ｇの圧力を、タンク内液位とタンク外水位によるタンク底の圧力より−３ｋＰａ低い値となるように減圧する。
【００５５】
そして、前記地下タンク１を減圧した状態で、前記暗騒音の計測と同様に、該暗騒音の計測時と同じ計測時間（１８０秒）の間、前記聴音パイプ６からの振動を前記振動検知センサー７により検出し、該振動検知センサー７により出力された電圧変動等のアナログ信号を、前記信号変換装置３等により増幅してからデジタル信号に変換して前記演算記憶処理装置４に読み込み、そして、該演算記憶処理装置４のサンプリング処理部９ａで、所望のサンプリングレート（サンプリング周波数）でサンプリングし、該サンプリングしたＡ／Ｄ変換値データを漏洩検査時音データとして、前記記憶部８に記憶させる。
【００５６】
なお、該漏洩検査時音の振動は、前記地下タンク１に漏れがあるときは、前記暗騒音時の振動に、漏洩による気泡音が定常的に加算された振動となり、また、前記地下タンク１に漏れがない場合には、前記暗騒音時の振動と同一態様のものとなる。
【００５７】
次に、前記暗騒音データと、前記漏洩検査時音データとを比較して、漏洩の有無を判断する。
【００５８】
ただし、前記各データには、突発的な雑音等が含まれているため、前記データの比較の前に、前記各データから、それぞれその雑音等を除外した、判定用のデータを抽出するための処理をおこなう。
【００５９】
（判定用データ抽出処理工程）
【００６０】
なお、前記サンプリングしたＡ／Ｄ変換値データの全てのデータをもとに、判定用データを抽出するのは、処理時間がかかるので、まず、前記サンプリングしたＡ／Ｄ変換値データから、必要となる基礎データを抽出し、かかる抽出した基礎データをもとに、判定用データを抽出するようにする。
【００６１】
かかる基礎データ抽出作業は、具体的には、前記演算記憶処理装置４の基礎データ抽出部９ｂにより、前記記憶した所望の計測時間（１８０秒）測定した暗騒音データ、即ち、図４に示すように、サンプリングしたＡ／Ｄ変換値を、一定の単位時間毎に区切り（例えば、１秒毎に区切り）、この各区切り内（各単位時間内）のＡ／Ｄ変換値のうち、最大のＡ／Ｄ変換値をそれぞれ抽出し（例えば、図４中○で囲んだＡ／Ｄ変換値）、かかる各値を、暗騒音の基礎データ（暗騒音の区間最大Ａ／Ｄ変換値データ）として前記記憶部８に記憶させる。
【００６２】
なお、図５は、暗騒音データの前記計測時間１８０秒を１秒毎に区切り、各区間の最大値を抽出し、かかる抽出した１８０個の暗騒音の区間最大Ａ／Ｄ変換値データを点線でグラフ表示したものである。
【００６３】
また、前記記憶された所望の計測時間（１８０秒）測定した漏洩検査時音データ、即ち、前記サンプリングしたＡ／Ｄ変換値も、前記演算記憶処理装置４の基礎データ抽出部９ｂにより、前記暗騒音データと同様に、前記と同じ単位時間（例えば、１秒）毎に区切り、この各区切り内（各単位時間内）における前記Ａ／Ｄ変換値のうち、最大のＡ／Ｄ変換値を抽出し、かかる各値を、漏洩検査時音の区間最大Ａ／Ｄ変換値データとして前記記憶部８に記憶させる。
【００６４】
なお、図６は、前記暗騒音の区間最大Ａ／Ｄ変換値データをグラフ表示（点線）したものと、前記漏洩検査時音の区間最大Ａ／Ｄ変換値データをグラフ表示（実線）したものとを重ねて表示したものである。
【００６５】
そして、前記抽出された各区間の最大値は、各区間の振動の状態を最も顕著に捉えた特徴的な計測値となる。
【００６６】
次に、判定用データ抽出作業を行う。
【００６７】
突発的な振動は、雑音として除外する必要がある。従って、まず、前記演算記憶処理装置４の判定用データ抽出部９ｃにより、前記暗騒音の区間最大Ａ／Ｄ変換値データと、前記漏洩検査時音の区間最大Ａ／Ｄ変換値データとを、それぞれ昇順（又は、降順）に並び替え、そして、これら並び替えらえたデータから、例えば、車両通過などによる突発的な振動を含む可能性のある、区間最大Ａ／Ｄ変換値が大きい値のものを除外すると共に、暗騒音または漏洩検査時音と逆位相の振動が作用して減衰した振動データと考えられる、区間最大Ａ／Ｄ変換値が小さいものを除外し、前記データの中間範囲のＡ／Ｄ変換値データのみを抽出し、この抽出したデータを、それぞれ暗騒音における漏洩判定用データと、漏洩検査時音における漏洩判定用データとして、前記記憶部８に記憶するようにする。
【００６８】
なお、図７は、雑音として不要な異常に大きい振動、異常に小さい振動を取り除くために、前記暗騒音時の区間最大Ａ／Ｄ変換値データと、前記漏洩検査時音の区間最大Ａ／Ｄ変換値データとをそれぞれ、降順に並び替えたグラフであり、前記並び替えられた暗騒音の区間最大Ａ／Ｄ変換値データと、前記並び替えられた漏洩検査時音の区間最大Ａ／Ｄ変換値データとから、それぞれ雑音である異常に大きい領域のデータ及び異常に小さい領域のデータを除いた部分、即ち、中間範囲のＡ／Ｄ変換値データを、それぞれ漏洩判定用データとして用いるようにする。
【００６９】
なお、判定用データとして用いる中間範囲のデータとしては、例えば、昇降順に並び替えた１８０個のＡ／Ｄ変換値データのうち、中間の９０番目のデータを中心として、前後１０番個のデータ、即ち、８０番目のデータから１００番目の２１個のデータを判定用データとして用いるようにする。
【００７０】
（漏洩判定工程）
【００７１】
次に、前記演算記憶処理装置４の判定部９ｄにより、前記暗騒音における判定用データのＡ／Ｄ変換値と、漏洩検査時音における判定用データのＡ／Ｄ変換値を比較し、この比較した結果が所望の条件を満たすか否かで、漏洩の有無の判断するようにする。
【００７２】
具体的には、例えば、前記演算記憶処理装置４の判定部９ｄにより、前記得られた暗騒音における判定用データのＡ／Ｄ変換値の平均値と、漏洩検査時音における判定用データのＡ／Ｄ変換値の平均値をそれぞれ求め、そして、暗騒音の判定用データの平均値に対する、漏洩検査時音の判定用データの平均値の比率を求め、そして、該比率が、例えば、所望の範囲内の場合に、漏洩が無いと判断し、範囲外の場合には、漏洩があると判断するようにする。
【００７３】
前記のように、平均値の比率で求めることにより、地下タンクごとに異なる暗騒音の差による判定の差を除去できるようになる。
【００７４】
なお、表１は、前記並び替えられた暗騒音の区間最大Ａ／Ｄ変換値データと、前記並び替えられた漏洩検査時音の区間最大Ａ／Ｄ変換値データの８０番目から１００番目のデータであり、平均値は、前者が４５９であり、後者は１７００となる。
【００７５】
【表１】
0006694320.tif 000002
【００７６】
また、前記比率を求める式としては、例えば、平均値の比率を対数比で表した数１がある。
【００７７】
【数１】
0006694320.tif 000003
【００７８】
また、前記比率Ｄが所望の範囲内にあるか否かの判断としては、例えば、図８に記載のような判定表があり、前記得られた比率Ｄを前記判定表で分類することにより漏洩の有無の判定が可能にある。
【００７９】
本発明においては、雑音を周波数で識別するのではなく、振動の大きさにより行う事を特徴とし、そして、得られたデータを昇降順に並び替え、雑音として記憶されていた異常に大きい振動音及び異常に小さい振動音を除外することにより、突発的な雑音等を除外した暗騒音と漏洩検査時音を比較できるので、周波数に関係なく、地下タンクの液相部の漏洩の有無を正確に捉えることができるようになる。
【産業上の利用可能性】
【００８０】
本発明の地下タンクの漏洩検査装置及び検査方法は、液相部を有する地下タンクに利用できる。
【符号の説明】
【００８１】
１      地下タンク
１ａ    天井部
１ｂ    底面
２      振動音検知装置
３      信号変換装置
３ａ    増幅部
３ｂ    Ａ／Ｄ変換部
３ｃ    通信回路部
４      演算記憶処理装置
４ａ    モニタ
５      開口部
６      聴音パイプ
７      振動検知センサー
８      記憶部
９      演算部
９ａ    サンプリング処理部
９ｂ    基礎データ値抽出部
９ｃ    判定用データ抽出部
９ｄ    判定部
１０    漏洩口
１１    気泡
【図１】
0006694320.tif 000004
【図２】
0006694320.tif 000005
【図３】
0006694320.tif 000006
【図４】
0006694320.tif 000007
【図５】
0006694320.tif 000008
【図６】
0006694320.tif 000009
【図７】
0006694320.tif 000010
【図８】
0006694320.tif 000011